(57)【要約】      （修正有）【課題】２種類のタイプのハンガーレールに適切に対応でき、交差状に固定できるハンガーレール用固定金具を提供する。【解決手段】対称形状の一対の板状金具１１，１１を使用し、それぞれの板状金具１１は下方の下方鉛直部１１ｄと水平部１１ｈと上方鉛直部１１ｕとから成る。上方鉛直部１１ｕはボルト１２により相互に締着固定できる。下方鉛直部１１ｄの両側縁部の対称位置には切欠部２０を設ける。切欠部２０が上方側縁部２０ｕと縦方向側縁部２０ｖと下方側縁部２０ｄとからなる。下方側縁部２０ｄの最内側には略水平部２１が形成され、前記略水平部２１の外側にはＶ字形状切欠部２２を形成した。下方鉛直部１１ｄの両側縁部に形成した切欠部２０の略中間部に補強用リブ１６を形成した。切欠部２０の上方側縁部２０ｕを、その内側端から外側縁に向かって斜め上方に傾斜するように形成した。【選択図】図１
0003160073.tif 000002
【実用新案登録請求の範囲】
【請求項１】
チャンネル材から成るハンガーレールを交差状に固定できる固定金具であって、対称形状の一対の板状金具(11, 11)を使用し、それぞれの板状金具(11)は下方に位置する下方鉛直部(11d) と下方鉛直部(11d) の上端から略水平に延びる水平部(11h) と、この水平部(11h)から更に上方に延長する上方鉛直部(11u) とから成り、上方鉛直部(11u) はボルト(12)等の固定具により相互に締着固定することができ、下方鉛直部(11d) の両側縁部の対称位置には切欠部(20)を対称形状に設けた固定金具において、
それぞれの切欠部(20)の形状が上方側縁部(20u) と縦方向側縁部(20v) と下方側縁部(20d) とからなり、
下方側縁部(20d) の最内側には略水平部(21)が形成され、前記略水平部(21)の外側には略Ｖ字形状切欠部(22)を形成したことを特徴とするハンガーレール用固定金具。
【請求項２】
下方鉛直部(11d) の両側縁部に形成した切欠部(20)の略中間部に補強用リブ(16)を形成したことを特徴とする請求項１に記載のハンガーレール用固定金具。
【請求項３】
切欠部(20)の上方側縁部(20u) を、その内側端から外側縁に向かって斜め上方に傾斜するように形成したことにより切欠部(20)の開口部をより幅広く形成したことを特徴とする請求項１又は２に記載のハンガーレール用固定金具。
【考案の詳細な説明】
【技術分野】
【０００１】
本考案は、ハンガーレール同士を交差状に固定する際に使用する固定金具の改良に関するものである。
【背景技術】
【０００２】
従来の固定金具としては、下記特許文献に記載のものを挙げることができる。
特許文献１に記載の固定金具は、天井部を構成する野縁と野縁受けを連結すると同時に天井吊り金具としての機能を有するものである。
他方特許文献２に記載の固定金具は、電線管その他のパイプやケーブル等とチャンネル材からなるパイプハンガーとを交差状に係止固定できる係止固定金具に関するものである。
【０００３】
これら何れの金具においても、一対の金具を利用してその上方端部分ではボルト・ナット等の固定具が使用され、その一対の金具の下方部分には切欠部を形成して、この切欠部をチャンネル材の長手方向開口部に係合させて、このチャンネル材とパイプ等を固定し、或いは野縁及び野縁受け等を固定するものである。
【０００４】
図２は、本願出願人が製造していた従来タイプのハンガーレール用固定金具を図示しており、その（Ａ）が斜視図、その（Ｂ）がハンガーレール同士を交差状に固定している状態を示す斜視図である。
この従来例の固定金具５０は、一対の対称形状の板状金具５１、５１から成り、この板状金具５１はそれぞれ、下方鉛直部５１ｄと、この下方鉛直部５１ｄの上縁から略水平に、即ち直角に折曲する水平部５１ｈと、この水平部５１ｈから上方鉛直に延長する上方鉛直部５１ｕとから形成されている。
【０００５】
この上方鉛直部５１ｕには、ボルト挿通孔と雌ネジ孔が形成されており、これにボルト５２を螺合することにより、両板状金具５１、５１の間隔が狭められ、一方のハンガーレールＨ１を下方鉛直部５１ｄ、５１ｄが抱持しつつ、固定できる。
下方鉛直部５１ｄ、５１ｄの下方部分の両側縁部には、切欠部５１ｋ、５１ｋが同形状で対称位置に形成されており、この切欠部５１ｋ、５１ｋが、（Ｂ）図に示した通り、下方のハンガーレールＨ２の長手方向開口部Ｋの内向折曲部Ｅ、Ｅに係合する。
【０００６】
以上の構成により、一対の板状金具５１、５１の下方部分にある切欠部５１ｋ、５１ｋを下方ハンガーレールＨ２の長手方向開口部Ｋの内向折曲部Ｅ、Ｅに係合させて、上方ハンガーレールＨ１を下方鉛直部５１ｄ、５１ｄが抱持し、上方鉛直部５１ｕ、５１ｕの部分でボルト５２を締め着けることにより、２本のハンガーレールＨ１、Ｈ２を交差状に固定することができるのである。
【先行技術文献】
【特許文献】
【０００７】
【特許文献１】実開平４−１０３９１６号公報
【特許文献２】実開昭６２−１５１４９０号公報
【考案の概要】
【考案が解決しようとする課題】
【０００８】
ところで、ハンガーレールとしては、図３に示すように、２種類のものが存在する。
図３（Ａ）に図示したものは、内向折曲部Ｅ１、Ｅ１がハンガーレールＨ１の水平上面Ｕから下方略直角に折曲する形態のものである。
他方、図３（Ｂ）に図示したものは、内向折曲部Ｅ３、Ｅ３がハンガーレールＨ３の両側の側面Ｓの上縁部から斜め下方に略４５度の角度で折曲する形態のものである。
この（Ｂ）図に示すハンガーレールは、（Ａ）図のものよりも新しいタイプのものである。
【０００９】
上記従来の固定金具５０においては、上記従来のハンガーレールＨ１又はＨ２のタイプのチャンネル材を固定するものとして開発されたものである。
従って、新しいタイプであるハンガーレールＨ３の形態に対しては特別な考慮が払われていなかった。
【００１０】
そこで、本考案においては、上記２つのタイプのハンガーレールの何れのものに対してもより適切に固定できるものを提供することをその課題としている。
換言すれば、１つの固定金具によって、これら２つのタイプのハンガーレールをより適切に固定する事ができるようにすることが本考案の課題である。
【課題を解決するための手段】
【００１１】
上記課題を解決するために、本考案の第１のものにおいては、チャンネル材から成るハンガーレールを交差状に固定できる固定金具であって、対称形状の一対の板状金具を使用し、それぞれの板状金具は下方に位置する下方鉛直部と下方鉛直部の上端から略水平に延びる水平部と、この水平部から更に上方に延長する上方鉛直部とから成り、上方鉛直部はボルト等の固定具により相互に締着固定することができ、下方鉛直部の両側縁部の対称位置には切欠部を対称形状に設けた固定金具において、それぞれの切欠部の形状が上方側縁部と縦方向側縁部と下方側縁部とからなり、下方側縁部の最内側には略水平部が形成され、前記略水平部の外側には略Ｖ字形状切欠部を形成したことを特徴とするハンガーレール用固定金具である。
【００１２】
本考案の第２のものにおいては、上記第１の考案において、下方鉛直部の両側縁部に形成した切欠部の略中間部に補強用リブを形成したことを特徴とするハンガーレール用固定金具である。
【００１３】
本考案の第３のものにおいては、上記第１又は第２の考案において、切欠部の上方側縁部を、その内側端から外側縁に向かって斜め上方に傾斜するように形成したことにより切欠部の開口部をより幅広く形成したことを特徴とするハンガーレール用固定金具である。
【考案の効果】
【００１４】
本考案の第１のものにおいては、その固定金具を構成する板状金具の下方鉛直部に形成されているそれぞれの切欠部が、上方側縁部、縦方向側縁部及び下方側縁部の３辺から形成されており、その内の下方側縁部に特徴がある。
即ち、この下方側縁部は、その最も内側に略水平部を設け、その横にはＶ字形状のＶ字形状切欠部を形成し、この略水平部が、上記ハンガーレールＨ１に対応し、その外側のＶ字形状の切欠部が上記ハンガーレールＨ３に対応できるように構成したものである。
ハンガーレールＨ１においては、その長手方向開口部から下方に略直角に折曲する内向折曲部の側縁部が上記略水平部と係合し、ハンガーレールＨ３においては、その長手方向開口部から斜め下方に傾斜する内向折曲部の側縁部が上記Ｖ字形状切欠部と適合して適切に係合することとなるのである。
【００１５】
本考案の第２のものにおいては、板状金具の下方鉛直部の両側縁に設けた切欠部の中間部に補強用リブを形成したことにより、下方鉛直部の強度を向上させた。
【００１６】
本考案の第３のものにおいては、下方鉛直部に設けた切欠部を構成する上方側縁部において、その内側端から外側縁に向かって斜め上方に傾斜するように形成したことにより、切欠部の開口部をより幅広く形成したことにより、本考案に係る板状金具をハンガーレールの開口部からその内部により挿入し易くすることができる。
【図面の簡単な説明】
【００１７】
【図１】本考案の固定金具に係る一実施形態を示しており、その（Ａ）が全体斜視図、その（Ｂ）が側面図、その（Ｃ）が切欠部の拡大説明図である。
【図２】従来の固定金具を示しており、その（Ａ）が斜視図、その（Ｂ）が使用状態を示す斜視説明図である。
【図３】本考案に係る固定金具によって固定される２種類のハンガーレールを図示しており、その（Ａ）及び（Ｂ）共に斜視図と正面図である。
【考案を実施するための形態】
【００１８】
以下、添付図面と共に本考案の一実施形態について説明する。
図１は、本考案のハンガーレール用固定金具に係る一実施形態を図示しており、その（Ａ）が全体斜視図、その（Ｂ）が側面図、その（Ｃ）が切欠部の拡大説明図である。
本考案に係るハンガーレール用固定金具１０は、一対の対称形状を有する板状金具１１、１１から成り、この板状金具１１は、それぞれ下方の下方鉛直部１１ｄと、この下方鉛直部１１ｄの上縁から略水平に、即ち略直角に折曲する水平部１１ｈと、この水平部１１ｈから更に上方に延長する上方鉛直部１１ｕとから形成されている。
【００１９】
この上方鉛直部１１ｕには、ボルト挿通孔と雌ネジ孔が形成されており、これにボルト１２を螺合することにより、両板状金具１１、１１の間隔が狭められ、一方のハンガーレールＨ１を下方鉛直部１１ｄ、１１ｄが抱持しつつ、固定できる。
下方鉛直部１１ｄ、１１ｄの下方部分の両側縁部には、切欠部２０、２０が対称位置に対称形状に形成されており、この切欠部２０、２０が、（Ｂ）図に示した通り、下方のハンガーレールＨ２又はＨ３の長手方向開口部の内向折曲部Ｅ２、Ｅ３と係合する。
【００２０】
前記切欠部２０の拡大図を（Ｃ）図に示しているが、この切欠部２０は、上方側の上方側縁部２０ｕと、縦方向の縦方向側縁部２０ｖと、下方側の下方側縁部２０ｄの３つの側縁部から構成されている。
この（Ｃ）図に図示した切欠部は、右側のものであるが、左側のものは、この図と対称形のものとなる。
上方側縁部２０ｕは、その内側端部から外側に向かって斜め上方に略３０度傾斜するように形成され、切欠部２０の開口部の開口幅が大きくなるように形成されている。
この傾斜角度は、適宜自由に設定することができる。
【００２１】
下方側を構成する下方側縁部２０ｄの構成が、本考案の特徴部分となる。
即ち、下方側縁部２０ｄの内側端部は、略水平に形成された水平部２１を有し、その水平部２１の外側に隣接してＶ字形状に切り欠かれたＶ字形状切欠部２２が形成されており、そのＶ字形状切欠部２２から外側には緩やかな傾斜を持って斜めに形成されている。
Ｖ字形状切欠部２２の開き角度は、この実施形態では略９０度に形成している。
これはハンガーレールの内向折曲部の端部と適切に合致させるためである。
【００２２】
この下方側縁部２０ｄの構成により、（Ｂ）図に示した通り、ハンガーレールの２種類のタイプの内向折曲部に合致させることができるのである。
（Ｂ）図においては、図示簡略化のために、２つの異なる種類のハンガーレーＨ２とＨ３ルを右と左に同じ図の中で表現している。
即ち、ハンガーレールＨ２にあっては、その長手方向開口部で内向きに折れ曲がる内向折曲部Ｅ２は、上面から下方に直角に折れ曲がるタイプのもの（図中右側に示す）であり、ハンガーレールＨ３にあっては、その長手方向開口部で内向きに折れ曲がる内向折曲部Ｅ３がハンガーレールの側面部上端縁から斜め４５度下方に向かって傾斜するタイプのものもの（図中左側に示す）である。
【００２３】
ハンガーレールＨ２の場合には、本考案に係る固定金具１０の切欠部２０の下方側縁部２０ｄの内側端部の水平部２１が係合して、その内向折曲部Ｅ２の下端縁部に当接して適切に支持するることができるのである。
他方、ハンガーレールＥ３の場合には、本考案に係る固定金具１０の切欠部２０の下方側縁部２０ｄの上記水平部２１に隣接するＶ字形状切欠部２２にその内向折曲部Ｅ３の下端縁部が当接して、このＶ字形状切欠部２２がその内向折曲部Ｅ３の下端縁部に当接して適切に支持することができるのである。
【００２４】
このように、本考案のＶ字形状切欠部２２は、ハンガーレールＨ３の内向折曲部Ｅ３の下端縁部と適切に当接すべく、略９０度の角度を持って切り欠かれているものである。
このようにして、本考案に係る固定金具１０は、２種類のハンガーレールに同時に使用でき、しかもこれら２種類のタイプのハンガーレール用としてより適切に支持し、固定できるものとなるのである。
【００２５】
図中１６は、補強リブを示している。
この補強リブ１６は、板状金具１１の下方鉛直部１１ｄの略中央部を内側から外側に膨出させるようにプレスして成形したものである。
この補強リブ１６の存在により、板状金具１１の下方鉛直部１１ｄの強度が向上する。
この実施形態では、略逆三角形形状に膨出させているが、この形状は適宜自由に設計変更することができる。
【００２６】
以上、本考案の一実施形態について説明したが、本考案においては、下記の通り種々設計変更することができる。
本考案においては、板状金具の下方鉛直部、水平部、上方鉛直部の上下方向長さ、幅等は、適宜必要に応じて設計変更することができる。
同様に切欠部のサイズも適宜変更することができるが、切欠部の構成は、上方側縁部、縦方向側縁部、及び下方側縁部から成り、且つその下方側縁部の構成を内側の水平部と、Ｖ字形状切欠部を設けることが必須と成る。
【００２７】
Ｖ字形状切欠部は、上記実施形態では略９０度の開き角度をもって形成したが、これが９０度以下、例えば６０度程度であっても良い。
ハンガーレールの内向折曲部の下縁の角部が適切に係合すればよいからである。
上方鉛直部に設けたボルト挿通孔と雌ネジ孔は、これらを単なる挿通孔として形成し、ボルト・ナットで締着できるように構成してもよい。
以上、本考案は、簡易な構成により２種類のハンガーレールに１つの金具で対応でき、交差状に適切に固定できるハンガーレール用固定金具を提供することができた。
【符号の説明】
【００２８】
１０  ハンガーレール用固定金具
１１  板状金具
１１ｄ  下方鉛直部
１１ｈ  水平部
１１ｕ  上方鉛直部
１２  ボルト
１６  補強リブ
２０  切欠部
２０ｄ  下方側縁部
２０ｕ  上方側縁部
２０ｖ  縦方向側縁部
２１  水平部（切欠部の）
２２  Ｖ字形状切欠部
Ｈ１、Ｈ２、Ｈ３  ハンガーレール
Ｅ、Ｅ１、Ｅ２、Ｅ３  内向折曲部  
【図１】
0003160073.tif 000003
【図２】
0003160073.tif 000004
【図３】
0003160073.tif 000005